(57)【要約】  【課題】簡単な構造を通じて誤操作に善処した新たな構造のロック解除装置を提供することを目的と【解決手段】ロック解除とともに駆動力が及ぶ天板２１のロック解除を行うためのものであって、操作レバー１３を主体として構成され、その操作範囲が、ロック解除に直接関わる作動範囲Ｚ２と、待機位置１３（Ａ）から作動範囲Ｚ２に至る間に設けられて天板２１のロック状態に影響を及ぼすことなく遊動する遊動範囲Ｚ１とからなり、少なくとも待機位置１３（Ａ）にある操作レバー１３の初動時の移動方向と作動範囲Ｚ２に入った後の操作レバー１３の移動方向とが逆向きとなり、また遊動範囲Ｚ１を作動範囲Ｚ２よりも広い範囲に亘って設定するようにした。  【選択図】図６
2008123228.tif 000002
【特許請求の範囲】
【請求項１】
ロック解除とともに駆動力が及ぶ可動部材の当該ロック解除を行うためのものであって、
操作レバーを主体として構成され、その操作範囲が、ロック解除に直接関わる作動範囲と、待機位置から前記作動範囲に至る間に設けられて可動部材のロック状態に影響を及ぼすことなく遊動する遊動範囲とからなり、少なくとも待機位置にある操作レバーの初動時の移動方向と作動範囲に入った後の操作レバーの移動方向とが逆向きとなるように構成したことを特徴とするロック解除装置。
【請求項２】
ロック解除とともに駆動力が及ぶ可動部材の当該ロック解除を行うためのものであって、
操作レバーを主体として構成され、その操作範囲が、ロック解除に直接関わる作動範囲と、待機位置から前記作動範囲に至る間に設けられて可動部材のロック状態に影響を及ぼすことなく遊動する遊動範囲とからなり、その遊動範囲を作動範囲と同等ないしそれ以上の広い範囲に亘って設定してなることを特徴とするロック解除装置。
【請求項３】
ロック解除とともに駆動力が及ぶ可動部材の当該ロック解除を行うためのものであって、
操作レバーを主体として構成され、その操作範囲が、ロック解除に直接関わる作動範囲と、待機位置から前記作動範囲に至る間に設けられて可動部材のロック状態に影響を及ぼすことなく遊動する遊動範囲とからなり、少なくとも待機位置にある操作レバーの初動時の移動方向と作動範囲に入った後の操作レバーの移動方向とが逆向きとなるように構成するとともに、遊動範囲を作動範囲と同等ないしそれ以上の広い範囲に亘って設定してなることを特徴とするロック解除装置。
【請求項４】
操作レバーが可動部材に設けられ、可動部材はロック解除とともに所定方向に駆動されるように構成されていて、その駆動方向と、作動範囲においてロック解除に向かう操作レバーの移動方向とがほぼ合致するように構成されている請求項１〜３記載のロック解除装置。
【請求項５】
遊動範囲から作動範囲に入った際に操作レバーの操作感が変化するように構成している請求項１〜４記載のロック解除装置。
【請求項６】
操作レバーが基準面に回転可能に取り付けられ、待機位置と作動範囲の終端位置とで支軸回りに操作レバーの姿勢が反転するように構成されていて、待機位置から基準面に対して垂直となる中間位置を越える範囲に亘って遊動範囲が設定され、漸次基準面に近づく範囲に作動範囲が設定されている請求項１〜５記載のロック解除装置。
【請求項７】
移動範囲が略１８０°の領域に亘って設定され、少なくとも待機位置で操作レバーが基準面に密着ないし極接近した状態に保たれる請求項６記載のロック解除装置。
【請求項８】
操作レバーが待機位置から遊動範囲に入る方向と可動部材の駆動方向とが逆向きに設定されている請求項６又は７記載のロック解除装置。
【請求項９】
操作レバーは待機位置で基準面に向かって弾性的に押し付けられ、その弾性力に抗し反発力を蓄積しながら作動範囲に向かって操作される請求項６〜８記載のロック解除装置。
【請求項１０】
基準面が家具の可動部材の裏面に設定され、操作レバーが通常使用位置から見えない状態で前記基準面に取り付けてある請求項６〜９記載のロック解除装置。
【請求項１１】
可動部材が天板であり、天板の縁部近傍の下面に操作レバーが配置されている請求項１０記載のロック解除装置。
【請求項１２】
天板が昇降機構によって突出する方向に常時押し付けられ、且つ操作レバーの待機位置で昇降機構によって天板がロックされており、操作レバーがその昇降機構のロック状態を解除するように関連づけられている請求項１１記載のロック解除装置。
【発明の詳細な説明】
【技術分野】
【０００１】
本発明は、昇降テーブル等の可動部材が意図せずにロック解除されて動き始めることを有効に防止したロック解除装置に関するものである。
【背景技術】
【０００２】
昇降テーブルなどは、例えば特許文献１等に示されるように、支柱内に組み込んだガススプリングによって天板が昇降駆動可能とされており、そのガススプリングのロック解除ボタンが非操作位置にあるときに天板がロック状態に保持される。そのロック解除ボタンには伝達機構を介して操作レバーが関連づけられており、操作レバーを操作すると、ロック解除ボタンが駆動されて、ガススプリングのガスをリリースし、その結果、天板のロック状態が解除されて、外力を加えずとも天板がガススプリングによって突出する方向に動き出すようになっている。
【特許文献１】特開平１０−２１１０２９号公報
【発明の開示】
【発明が解決しようとする課題】
【０００３】
しかしながら、かかる従来のものは、操作レバーの移動範囲の全てがロック解除に直接関わる作動範囲となっているため、操作レバーにわずかに触れただけでも昇降機能が作動する。このため、意図せずレバーに操作レバーに触れてしまった場合に、不慮に天板が迫り上って利用者に不快感を与え、天板上の物の転倒或いは落下という不都合も招き易い。同文献では、操作レバーが水平方向へのみ動き下方へ動くことがないようにして足等が接触することが回避できる旨記載されているが、足を組む動作時などには膝で操作レバーを誤って引っ掛けて水平移動させるおそれは否めず、即座にロック解除されて天板が作動する可能性は否定できない。また、操作レバーは天板下の指が触れ易い部位に位置しているため、指が偶然触れた際に意味なく引き寄せられるおそれもあり、誤操作対策の余地は依然として残っている。
【０００４】
このような動きを防止するためにレバー操作を規制する安全装置を設け、この安全装置を解除しない限り本来のレバー操作が行えないように構成することも考えられるが、これだと操作が複雑になり操作方法を理解するのに手間取るうえ、動作も煩雑となって使い難いものになる。
【０００５】
本発明は、簡単な構造を通じて上記のような誤操作に善処した新たな構造のロック解除装置を提供することを目的としている。
【課題を解決するための手段】
【０００６】
本発明は、かかる目的を達成するために、次のような手段を講じたものである。
【０００７】
すなわち、本発明のロック解除装置は、ロック解除とともに駆動力が及ぶ可動部材の当該ロック解除を行うためのものであって、操作レバーを主体として構成され、その操作範囲が、ロック解除に直接関わる作動範囲と、待機位置から前記作動範囲に至る間に設けられて可動部材のロック状態に影響を及ぼすことなく遊動する遊動範囲とからなるものである。
【０００８】
そして、少なくとも待機位置にある操作レバーの初動時の移動方向と作動範囲に入った後の操作レバーの移動方向とが逆向きとなるように構成したことを特徴とする。この場合の逆向きとは、１８０°向きが反転することは必ずしも必要でない。
【０００９】
このようにすると、何らかの拍子で操作レバーを引っ掛けても、引っ掛ける方向がほぼ一定であれば操作レバーが逆向きに動くまで引きずられる事はないので、意図的に操作しない限り、誤操作を有効に防止することができ、操作が複雑になったりロック解除機構の構成が煩雑となることも回避することができる。
【００１０】
また、本発明の別異の構成からなるロック解除装置は、操作レバーの初動時の移動方向と作動範囲に入った後の移動方向とが逆向きとなるか否かとは別の観点として、遊動範囲を作動範囲と同等ないしそれ以上の広い範囲に亘って設定してなることを特徴とする。
【００１１】
このように構成すると、何らかの拍子で操作レバーを引っ掛けても、操作レバーの広い遊動範囲の間に引きずり状態が終わる場合があり、またその間に操作レバーを引っ掛けたことに利用者が気づくこともあるので、意図的に操作しない限り、誤操作を有効に防止することができ、操作が複雑になったりロック解除機構の構成が煩雑となることも回避することができる。
【００１２】
勿論、誤操作に的確に対処するためには、これらの構成を同時に備えておくことが望ましい。
【００１３】
本発明の好適な適用対象としては、操作レバーが可動部材に設けられ、可動部材はロック解除とともに所定方向に駆動されるように構成されて、その駆動方向と、作動範囲においてロック解除に向かう操作レバーの移動方向とがほぼ合致する構成を有するもの、すなわち遊動範囲が無いとした場合に不具合が顕著となるものが挙げられる。
【００１４】
操作方向が変化する場合や遊動範囲を大きく設定した場合には、上記の利点の反面、意図的に操作しようとしても作動開始位置がわかりに等の課題が残るが、それに備えて、遊動範囲から作動範囲に入った際に操作レバーの操作感が変化するように構成しておくことが望ましい。
【００１５】
本発明の好ましい実施の態様としては、操作レバーが基準面に回転可能に取り付けられ、待機位置と作動範囲の終端位置とで支軸回りに操作レバーの姿勢が反転するように構成されていて、待機位置から基準面に対して垂直となる中間位置を越える範囲に亘って遊動範囲が設定され、漸次基準面に近づく範囲に作動範囲が設定されているものが挙げられる。
【００１６】
誤操作のおそれをより有効に低減するためには、移動範囲が略１８０°の領域に亘って設定され、少なくとも待機位置で操作レバーが基準面に密着ないし極接近した状態に保たれるようにしておくことが望ましい。
【００１７】
誤って操作レバーに利用者の体の一部が衝突したような場合にフェイルセイフとなる構成を担保するためには、操作レバーが待機位置から遊動範囲に入る方向と可動部材の駆動方向とが逆向きに設定されていることが好ましい。
【００１８】
操作レバーに対する誤操作の契機を極力低減するためには、操作レバーが待機位置で基準面に向かって弾性的に押し付けられ、その弾性力に抗し反発力を蓄積しながら作動範囲に向かって操作されるように構成しておくことが望ましい。
【００１９】
本発明は、基準面が家具の可動部材の裏面に設定され、操作レバーが通常使用位置から見えない状態で前記基準面に取り付けてある場合、つまり誤操作のおそれが高い取付位置にあるときに特に有効となる。
【００２０】
具体的には、可動部材が天板であり、天板の縁部近傍の下面に操作レバーが配置されているもの、さらには、天板が昇降機構によって突出する方向に常時押し付けられ、且つ操作レバーの待機位置で昇降機構によって天板がロックされており、操作レバーがその昇降機構のロック状態を解除するように関連づけられているものに適用した場合に顕著な効果を奏する。
【発明の効果】
【００２１】
本発明のロック解除装置によると、操作レバーが誤って操作された場合に即座にロック装置のロック状態が解除されて可動部材が駆動し始める事態を、構造や操作手順の複雑化を招くことなく有効に解消することができ、これにより利用者が安心して家具の使用ができる環境を有効に整えることが可能となる。
【発明を実施するための最良の形態】
【００２２】
以下、本発明の一実施形態を、図面を参照して説明する。
【００２３】
この実施形態のロック解除装置１は、図１に示す昇降テーブル２を構成する天板２１のロック状態を解除するために用いられるものである。
【００２４】
この昇降テーブル２は、脚羽根２２に支柱２３を介して天板２１を取り付けたもので、天板２１は支柱２３内に組み込んだ昇降機構たるガススプリング２４によって昇降駆動可能とされ、通常の天板と同様である７００ｍｍの天板高さから、ハイカウンターチェアと併用可能な９００ｍｍの天板高さ、更に立ち位置で利用する１０５０ｍｍの天板高さまで、広いストロークに亘って昇降し得るものである。そのガススプリング２４は、図２（ａ）に示すように、ガスをリリースしてロック解除を行うためのロック解除ボタン２４ａを有し、ロック解除ボタン２４ａが突出した非操作位置にあるときに天板２１をロック状態に保ち、同図（ｂ）に示すようにロック解除ボタン２４ａが押し込まれて操作位置に移動したときにガススプリング２４のガスをリリースしつつ、天板２１に突出方向への駆動力を付与し、負荷が無い場合ないし少ない場合に天板２１を上動させるものである。
【００２５】
このような昇降テーブル２において、この実施形態のロック解除装置１は、図２に示すロック解除ボタン２４ａを作動させる位置に操作部材１１を配置して、この操作部材１１に、図１及び図３に示すようにワイヤチューブ式の伝達機構１２を介して回転式の操作レバー１３を関連づけている。
【００２６】
操作レバー１３は、天板２１の高さ調整のために用いられるもので、図３〜図５に示すように、天板２１の縁部２１ａ近傍の下面２１ｂに支軸１３ａを介して把手部１３ｘの基端を回転可能に取り付けている。そして、その支軸１３ａから変位した位置に伝達機構１２を構成するワイヤ１２ａの一端部１２ａ１を把手部１３ｘとともに一体回転し得るように保持させている。伝達機構１２のチューブ１２ｂは、天板下面２１ｂに設けたチューブ保持部１２ｃと、図２に示す操作部材１１の近傍に設けたチューブ保持部１２ｄとの間に引き回され、ワイヤ１２ａはこのチューブ１２ｂ内を通過して一端部１２ａ１が前述した操作レバー１３に接続され、他端部１２ａ２がロック解除ボタン２４ａの近傍に設けた操作部材１１に接続してある。この操作部材１１は、図示例では軸心ｍの回りに回転可能とされ、ワイヤ１２ａに操作力が加わらない状態ではロック解除ボタン２４ａを押し込まない位置に保持されている。そして、ワイヤ１２ａが牽引操作されると、軸心ｍの回りに回転して図２(ｂ)に示すようにロック解除ボタン２４ａを押し込むようになっている。勿論、図２は原理図であって、実際には種々の構造を採用することができる。
【００２７】
そして、この場合の操作レバー１３の移動範囲と、前述した操作部材１１の動きとを、次のように関連づけている。
【００２８】
すなわち、この実施形態の操作レバー１３は、図６に示すように、基準面である天板下面２１ｂに略１８０°の移動範囲に亘って回転可能に取り付けられおり、天板２１の縁部２１ａから遠い側に設定した待機位置１３（Ａ）では操作レバー１３の把手部１３ｘが天板下面に密着し、そこから天板下面２１ｂに対して把手部１３ｘが垂直となる中間位置１３（Ｂ）を経た後、反転して天板２１の縁部２１ａに近い側に倒れ込む終端位置１３（Ｄ）に向かうようになっている。そして、その移動範囲のうち、待機位置１３（Ａ）から上記中間姿勢１３（Ｂ）を越えてある程度回転した切替位置１３（Ｃ）までをワイヤ１２ａを牽引しない遊動範囲Ｚ１（待機位置１３（Ａ）から１３０°〜１５０°の範囲）に設定し、これ以降の回転領範囲（残り３０°〜５０°）を実質的にワイヤ１２ａを牽引してロック解除を行うための作動範囲Ｚ２に設定している。操作レバー１３には図５に示すように戻りバネ１３ｃが組み込まれて、待機位置１３（Ａ）に向かって常時弾性力が働くようにしてあり、操作時には操作レバー１３は戻りバネ１３ｃに反発力を蓄積しながら作動範囲１３（Ｃ）に向かって移動する。
【００２９】
上記の操作レバー１３と操作部材１１との具体的な関連づけとしては、待機位置１３（Ａ）を含み遊動範囲Ｚ１の間は図７（ａ）に示すようにワイヤ１２ａが弛み、作動範囲Ｚ２に入った段階で同図（ｂ）のようにワイヤ１２ａが緊張して操作部材１１に操作レバー１３の操作力が伝達されるように構成する態様が挙げられる。この場合、操作部材１１はワイヤ１２ａが緊張した直後にガススプリング２４のロック解除ボタン２４ａを押し込む位置にオフセットバネ等により待機させておく。ワイヤ１２ａの一端１２ａ１は操作レバー１３に対して、図４及び図５に示したように常に一体回転する態様で接続する以外に、図示しないが操作レバー１３が作動位置Ｚ２に入る手前でワイヤ１２ａの一端１２ａ１をすくい上げるように構成しても構わない。また、他の操作レバー１３と操作部材１１との具体的な関連づけとしては、例えば図８（ａ）のように常時ワイヤ１２ａが緊張状態で操作部材１１に操作レバー１３の操作力が伝わる構成にして、操作レバー１３が待機位置１３（Ａ）から遊動範囲Ｚ１に至る間は操作部材１１がロック解除ボタン２４ａから離反させて、操作レバー１３が作動範囲Ｚ２に入った時点で同図（ｂ）のようにガススプリング２４のロック解除ボタン２４ａを押し込み始めるように設定する態様も可能である。この場合、操作部材１１にロック解除ボタン２４ａから離れる方向に押し付け力を作用させるバネを組み込むようにし、操作レバー１３側の戻りバネは不要にすることもできる。
【００３０】
何れにせよ、このロック解除装置は、操作レバー１３の操作範囲が、ロック解除に直接関わる作動範囲Ｚ２と、待機位置１３（Ａ）から作動範囲Ｚ２に至る間に設けられて天板２１のロック状態に影響を及ぼすことなく遊動する遊動範囲Ｚ１とから構成されている。そして、利用者がロック解除操作を行う際は、天板２１の下に手を伸ばして操作レバー１３の把手１３ｘに指を掛け、支軸１３ａよりも奥方に位置するこの把手１３ｘを支軸１３ａよりも手前側にまで回転させて、最後の作動範囲Ｚ２で天板２１の縁部２１ａに近づいた把手１３ｘを、天板２１に親指を掛け他の指で更に引き上げる操作等を行うことにより、天板２１をロック解除してガススプリング２４による高位置への位置調整、或いは体重を掛けて押し込むことによる低位置への位置調整を行うことができる。
【００３１】
そして、このロック解除装置１は、少なくとも待機位置１３（Ａ）にある操作レバー１３の初動時の移動方向（図６における矢印ｘ１参照）と作動範囲Ｚ２に入った後の操作レバー１３の移動方向（矢印ｘ２参照）とが逆向きとなるので、待機位置１３（Ａ）にある操作レバー１３を一旦作動範囲Ｚ２まで意図的に持ち出さない限りロック解除されることがない。これは、待機位置１３（Ａ）で操作レバー１３には初動時の移動方向と逆向きにしか力が掛かっていないためであって、操作レバー１３は天板２１の下面に密着した状態にあって利用者が操作レバー１３を引っ掛けにくいのに加えて、何らかの拍子で仮に利用者が操作レバー１３を引っ掛けたとしても、引っ掛ける方向が例えば図中ｘ３のようにほぼ一定であれば操作レバー１３が逆向きに動くまで引きずられる事はないので、誤操作をかかる操作レバー１３の広い範囲に亘る回転動作を利用して有効に防止することができ、そのために操作が複雑になったりロック解除機構の構成が煩雑となることも回避することができる。
【００３２】
加えて、遊動範囲Ｚ１が１３０°〜１５０°に設定され、作動範囲Ｚ２である３０°〜５０°に比して遙かに広範囲に亘るので、何らかの拍子で操作レバー１３を引っ掛けたとしても、操作レバー１３の広い遊動範囲Ｚ１の間に引きずり状態が終わる場合があり、またその間に利用者が操作レバー１３を引っ掛けたことに気づくこともあるので、意図的な操作以外で誤操作が生じて天板２１が作動する可能性をここでも操作レバー１３の広い範囲に亘る回転動作を利用してより有効に低減することができ、そのために操作が複雑になったりロック解除機構の構成が煩雑となることも回避することができる。
【００３３】
特に、操作レバー１３が可動部材である天板２１に設けられ、天板２１はロック解除とともに所定方向である上方へ駆動されるように構成されていて、その駆動方向（図６における矢印ｘ４参照）と、作動範囲Ｚ２においてロック解除に向かう操作レバー１３の移動方向（矢印ｘ２）とがほぼ合致するものであるので、仮に遊動範囲Ｚ１が無い場合だと操作レバー１３に加わる不慮の外力で瞬時にロック解除され、引き続きその外力が天板２１を押し上げる力として作用して好ましくないところ、本実施形態の遊動範囲Ｚ１を設けることによってこのようなロック解除→天板２１の上動という一連の連鎖が起こることを有効に防止することができる。
【００３４】
また、遊動範囲Ｚ１から作動範囲Ｚ２に入ると、操作部材１１をバネ力に抗して移動させるための力や、ガススプリング２４のロック解除ボタン２４ａに対する押し込み反力が操作レバー１３に加わり、操作レバー１３の操作感が変化するので、操作レバー１３の操作方向や操作位置が刻々変化し、しかも遊動範囲が本実施形態のように大きくとってある場合にも、作動開始位置がわかりにくいという不具合を解消して、安心して確実に操作できる環境を整えることができる。
【００３５】
さらに、この実施形態では操作レバー１３が基準面である天板下面２１ｂに回転可能に取り付けられ、待機位置１３（Ａ）と作動範囲の終端位置１３（Ｄ）とで支軸１３ａ回りに操作レバー１３の姿勢が反転するように構成されていて、待機位置１３（Ａ）から天板下面２１ｂに対して垂直となる中間位置１３（Ｂ）を越える範囲に亘って遊動範囲Ｚ１が設定され、漸次天板２１に近づく範囲に作動範囲Ｚ２が設定されているので、操作レバー１３の操作性が回転動作を通じて円滑なものになり、しかも初動時と作動開始時とで操作方向ｘ１，ｘ２が異なる構成および遊動範囲Ｚ１を作動範囲Ｚ２よりも大きく設定する構成を操作レバー１３の一連の回転動作の中で好適に両立させることができる。
【００３６】
また、移動範囲が略１８０°の領域に亘って設定され、少なくとも待機位置１３（Ａ）で操作レバー１３が天板下面２１ｂに密着ないし極接近した状態に保たれるようにしており、待機位置１３（Ａ）にある操作レバー１３を意図的に天板下面２１ｂから引き離す方向に操作しない限り始動しないので、誤操作のおそれがより有効に低減されるものとなる。
【００３７】
さらにまた、操作レバー１３が待機位置１３（Ａ）から遊動範囲Ｚ１に入る方向ｘ１と天板１１がガススプリング２４により駆動される方向ｘ４とが逆向きに設定されているため、誤って操作レバー１３が例えば利用者の膝等によって蹴り上げられたような場合にも、操作レバー１３のロック解除方向とは反対方向であるため、ロック解除とともに天板１１が勢い良く駆動される事態を確実に防止することができ、フェイルセーフとなる構成を有効に担保することができる。
【００３８】
加えて、操作レバー１３は待機位置１３（Ａ）で天板下面２１ａに向かって弾性的に押し付けられ、その弾性力に抗し反発力を蓄積しながら作動範囲ｘ２に向かって操作されるので、操作レバー１３の非操作時における待機状態を確実ならしめることができる。
【００３９】
以上に加えて、基準面が昇降テーブル２の天板２の裏面である天板下面２１ｂに設定され、操作レバー１３が通常使用位置から見えない状態で天板下面２１ｂに取り付けてあり、通常なら操作レバー１３が見えない位置にあることで誤操作につながり易い不具合を、本実施形態により有効に解消することが可能となる。
【００４０】
以上のように、このロック解除装置１によれば、利用者が足を組むなどの動作時に誤って膝で操作レバー１３を蹴り上げたり、指が偶然触れて意味なく引き寄せられたような場合にも、誤操作につながるおそれを効果的に低減することが可能となる。
【００４１】
特に、天板２１はガススプリング２４によって突出する方向に常時押し付けられ、且つ操作レバー１３の待機位置１３（Ａ）でガススプリング２４によって天板２１がロックされており、操作レバー１３がそのガススプリング２４のロック状態を解除するように関連づけられているので、誤操作により不慮に天板２１が迫り上って利用者に不快感を与え、天板２１上の物が転倒或いは落下するという不都合を確実に防止し得るものとなり得る。
【００４２】
なお、各部の具体的な構成は、上述した実施形態のみに限定されるものではなく、
本発明の趣旨を逸脱しない範囲で種々変形が可能である。
【００４３】
例えば、図９に示すように可動部材が大型天板１２１であり、２本の支柱１２３によって昇降可能に支持され、その昇降動作が支柱１２３に組み込んだ図示しないガススプリング及び両支柱１２３，１２３間に介在させた図示しない同期機構によって実現されるようにしている場合には、共通の操作レバー１１３を両支柱１２３から等距離にある天板下面に設け、この操作レバー１１３から並列的な伝達機構１００を介して操作力をガススプリングに付帯して設けた図示しないロック解除用の操作部材に伝達するように構成すればよい。そして、その際の操作レバー１１３の移動範囲が本発明の遊動範囲及び作動範囲からなるように上記実施形態に準じて操作レバー１１３と操作部材とを関連づければ、上記実施形態と同様の作用効果が奏される。
【００４４】
また、図１０に示すように可動部材がフラップ天板２２１であり、ロック解除されればフラップ天板２２１が跳ね上がるようなものである場合にも、そのロック解除装置を構成する操作レバー２１３を上記実施形態に準じて遊動範囲が含まれるように関連づければ、操作レバー２１３に対する誤った操作によりフラップ天板２２１がいきおい跳ね上がって利用者に不快感を与えることを有効に防止することができる。
【００４５】
さらに、図１１に示すように可動部材である椅子の座３２１を昇降するガススプリングに関しても、座３２１の下面を基準面として上記と同様に遊動範囲を設定した操作レバー３１３を設ければ、操作レバー３１３に対する誤った操作により座３２１が不慮に突出して利用者に不快感を与えることを効果的に防止することが可能となる。
【図面の簡単な説明】
【００４６】
【図１】本発明の一実施形態を適用した昇降テーブルの斜視図。
【図２】同昇降テーブルを構成するガススプリング部分の原理図。
【図３】図１の昇降テーブルの天板下面を下方から見た斜視図。
【図４】同実施形態の操作レバー付近を示す側面図。
【図５】図４に対応した底面図。
【図６】同実施形態の操作レバーの遊動範囲と作動範囲の関係を説明する図。
【図７】同実施形態の操作レバーとガススプリング近傍に配置した操作部材との関連づけを示す図。
【図８】同実施形態の操作レバーとガススプリング近傍に配置した操作部材との関連づけを示す図。
【図９】本発明の他の適用例を示す図。
【図１０】本発明の他の適用例を示す図。
【図１１】本発明の他の適用例を示す図。
【符号の説明】
【００４７】
１…ロック解除装置
２…家具（昇降テーブル）
１３…操作レバー
１３（Ａ）…待機位置
１３（Ｄ）…終端位置
１３（Ｂ）…中間位置
２１…可動部材（天板）
２１ｂ…基準面（天板下面）
２４…昇降機構（ガススプリング）
Ｚ１…遊動範囲
Ｚ２…作動範囲
【図１】
2008123228.tif 000003
【図２】
2008123228.tif 000004
【図３】
2008123228.tif 000005
【図４】
2008123228.tif 000006
【図５】
2008123228.tif 000007
【図６】
2008123228.tif 000008
【図７】
2008123228.tif 000009
【図８】
2008123228.tif 000010
【図９】
2008123228.tif 000011
【図１０】
2008123228.tif 000012
【図１１】
2008123228.tif 000013